(57)【要約】      （修正有）【課題】長時間の録画が出来る撮影装置を提供する。【解決手段】撮像装置であって、動画録画中または動画再生中であるかを判別する演算処理部１と、音声信号を符号化する手段であって、符号化処理に同期して割込み信号を出力する符号化処理手段４と、前記割込み信号を受け、駆動電圧を降下させる定電流回路１３と、前記駆動電圧の降下値Ｖｏが閾値Ｖｒｅｆ以下の場合、前記撮影装置の終了処理を開始する制御手段とを備える。【選択図】図１
2016208205.tif 000002
【特許請求の範囲】
【請求項１】
撮像装置であって、
動画録画中または動画再生中であるかを判別する演算処理部と、
音声信号を符号化する手段であって、符号化処理に同期して割込み信号を出力する符号化処理手段と、
前記割込み信号を受け、駆動電圧を降下させる定電流回路と、
前記駆動電圧の降下値が閾値以下の場合、前記撮影装置の終了処理を開始する制御手段とを備えることを特徴とする撮影装置。
【発明の詳細な説明】
【技術分野】
【０００１】
本発明は、撮像装置に関する。
【背景技術】
【０００２】
近年、撮影装置の高機能化が進んでいる。高機能化の一環として動画/静止画の両方を撮影可能なカメラが多数みられる。これらのカメラは、動画撮影において、動画を取得すると同時に音声も取得し、動画と同期させて記録を行う。
【０００３】
動画ファイルはMPEG4などで圧縮した後に、インターネット上にアップロードして閲覧することも可能である。これら動画ファイルの容量を小さくするために、音声信号に符号化を行い、データの圧縮を行う符号化方式が多数提案されている。
【０００４】
音声信号を圧縮する符号化方式は、オーディオコーデックと呼ばれ、AAC-LC, HE-AACなどの方式がある。
【０００５】
これらオーディオコーデックの中には、揮発性RAMを内蔵し、起動時に動作用ファームを書き込むことで符号化／復号化処理を行うことを特徴とするものがある。
【０００６】
プログラムの書換えにより、符号化方式を変えられる特徴を持ち、カメラなどでも多く使用されている。
【０００７】
これらのコーデックでは、復号化データの書き込み、または、符号化データの読み出し時に過渡的に大きな消費電流が流れる。
【０００８】
符号化、復号化処理と鏡筒動作のタイミングが重なった場合は、急激にカメラの消費電流が増えるため、予期せぬシャットダウンを生じさせる一因となる。
【０００９】
この為、録画処理開始前に、電池の残量検知を行い、電池残量に充分な余裕があるときのみ録画処理を行う。また、録画中も定期的な残量検知を行い、余裕がない場合には、直ちに電源を落とす構成をとる。
【００１０】
電池残量になるべく余裕を持たせて録画処理を行う為、１フレームでも長く撮りたい、というユーザーの要望は満足できない。
【００１１】
また、特許文献１のように動画データの記録中に電源電圧の低下を検知した場合、システム制御回路の指示により、第二のメモリの予備領域に保持中の管理情報を記録することで、ファイルの破壊を防ぐ記録手段などが提案されている。
【先行技術文献】
【特許文献】
【００１２】
【特許文献１】特開２００１−３２６８９７号公報
【発明の概要】
【発明が解決しようとする課題】
【００１３】
しかしながら、特許文献１では、予備領域として使う第二のメモリをシステム構成の一部として持たなければならず、カメラの記録制御が複雑になり、またカメラそのもののコストアップにつながってしまう。
【００１４】
本発明は、このような課題に鑑みてなされたものであり、長時間の録画が出来る撮影装置を提案することを目的とする。
【課題を解決するための手段】
【００１５】
上記の目的を達成するために、本発明は、撮像装置であって、動画録画中または動画再生中であるかを判別する演算処理部と、音声信号を符号化する手段であって、符号化処理に同期して割込み信号を出力する符号化処理手段と、前記割込み信号を受け、駆動電圧を降下させる定電流回路と、前記駆動電圧の降下値が閾値以下の場合、前記撮影装置の終了処理を開始する制御手段とを備えることを特徴とする。
【発明の効果】
【００１６】
本発明によれば、電池残量が少ない場合でも録画処理を実行することが可能な撮像装置を提供することが可能となる。
【図面の簡単な説明】
【００１７】
【図１】デジタルカメラの要部の構成を示すブロック図である。
【図２】デジタルカメラの構成を示すブロック図である。
【図３】符号化／復号化処理部の動作を説明するタイミングチャートである。
【図４】割込み信号の動作を説明する概念図である。
【発明を実施するための形態】
【００１８】
以下、添付の図面を参照して、本発明の好適な実施形態を説明する。
【００１９】
図２はデジタルカメラのシステム構成を示すブロック図である。20は、デジタルカメラである。マイク21は、音声データ取得手段である。音声処理回路22は、マイク21で得られた音声データを演算処理部26で取得するためにA/D変換を、演算処理部26で生成された音声データをスピーカ23で出力するためにD/A変換を行う。
【００２０】
24は撮像素子を備える撮像部である、各レンズ郡を通ってきた被写体像を電気信号に変換する。A/D変換器25は撮像素子24のアナログ信号出力をデジタル信号に変換する。
【００２１】
タイミング発生回路36は、不図示のメモリ制御回路および演算処理部26により制御され、A/D変換器25にクロック信号や制御信号を供給する。画像処理部27は、A/D変換器25からのデータ或いは不図示のメモリ制御回路からのデータに対して所定の画素補間処理や色変換処理を行う。た、画像処理部27においては、撮像した画像データを用いて所定の演算処理を行い、得られた演算結果に基づいてTTL方式のAWB（オートホワイトバランス）処理も行っている。
【００２２】
A/D変換器25のデータが画像処理部27、不図示のメモリ制御回路を介して、或いはA/D変換器25のデータが直接メモリ制御回路を介して、SDRAM34に書き込まれる。通信制御部28は、接続されるカメラ等の機器との通信を制御する。デジタルカメラは、不図示の外部出力コネクタを備えており、撮影した画像の出力を外部モニタに出力する。外部出力コネクタにコネクタが挿されている場合は不図示の外部出力接続検知手段により演算処理部26は外部出力状態を知る事が出来る。例えば、HDMI（登録商標）コネクタ等が用いられる。
【００２３】
29は操作部であり、ユーザによる指示入力が行われる。LCD31およびLCDドライバ30は、画像表示部であり、SDRAM34に書き込まれた表示用の画像データLCDドライバ30を介してLCD31に表示される。画像表示部を用いて撮像した画像データを逐次表示すれば、ライブビュー機能を実現することが可能である。また、画像表示部は、演算処理部26の指示により任意に表示をON/OFFすることが可能であり、表示をOFFにした場合にはデジタルカメラの電力消費を大幅に低減することが出来る。
【００２４】
SDRAM34は、撮影した静止画像や動画像を格納するためのメモリであり、所定枚数の静止画像や所定時間の動画像を格納するのに十分な記憶量を備えている。また、SDRAM34は演算処理部26の作業領域としても使用することが可能である。SDRAM34は、記録媒体の書き込みバッファとしても使われる。
【００２５】
カードコネクタ33は、記録媒体とのインターフェースである。インターフェースとしては、SDカードやコンパクトフラッシュ（登録商標）カード等の規格に準拠したものを用いて構成して構わない。記録媒体32はメモリカード等の記録媒体である。また、この記録媒体32の代わりに各種通信カードを接続することにより、他機器との間で画像データや画像データに付属した管理情報を転送し合うことが出来る。
【００２６】
FLASHROM35は画像形成装置のシステム制御用プログラムを格納している。音声符号化/復号化回路37は、音声処理回路にて出力された音声データの圧縮／解凍処理を行う。音声処理回路から出力された音声データを符号化、データ量を圧縮して記録媒体32などに記録を行う。また、記録媒体32などに記録された音声データを復号化、解凍して音声処理回路などへ出力する。
【００２７】
演算処理部26は、デジタルカメラ全体を制御する回路である。モータ駆動部38は、鏡筒およびレンズユニットを制御するモータの駆動回路である。演算処理部26により制御され、不図示のズームレンズ、フォーカスユニット、絞り／シャッターユニットなどの制御を行なう。演算処理部26は、FLASHROM35に記録されたプログラムを実行することで、後述する各実施例の処理を実現する。SDRAM34は、演算処理部26の動作用の定数、変数、FLASHROM35から読み出したプログラム等を展開するメモリである。FLASHROM35は電気的に消去／記録可能なメモリである。FLASHROM35には、演算処理部26の動作用の定数、プログラム等が記憶される。
【００２８】
［実施例］
以下、図１、２を用いて、本実施例に関わるシステム構成を詳細に説明する。図１は図２中マイク21、音声処理回路22、スピーカ23、演算処理部26、SDRAM34、音声符号化/復号化回路37の回路構成を詳細に示したブロック図である。
【００２９】
１は、演算処理部であり、図2内の演算処理部26を示す。4は、符号化／復号化回路であり、図2内の音声符号化／復号化回路37を示し、符号化／復号化器5を内包する。７は、音声処理回路であり、図２内の音声処理回路22を示し、ADDA変換器8を内包する。9、10は、それぞれマイク、スピーカであり、図2内マイク21ならびにスピーカ23を示す。11は、SDRAMであり、図2内のSDRAM34を示す。
【００３０】
2は、第一のシリアルバスであり、演算処理部1から符号化／復号化回路4間に対する制御コマンドの送受信に用いられる。3は、第二のシリアルバスであり、演算処理部１から符号化／復号化回路4へ符号化データを送信／受信するのに用いられる。6は、デジタル音声転送バスであり、音声用のD/A変換器の入力やA/D変換器の出力を転送するために用いられている。演算処理部1、音声処理回路7、符号化／復号化回路4は、このデジタル音声転送バスで接続されている。また、音声処理回路7、符号化／復号化回路4は、一部の信号線を共有し、接続されている。
【００３１】
12は、前述した不図示の外部出力コネクタであり、撮影した画像の出力を外部モニタに出力する。例えば、HDMI（登録商標）コネクタ等が用いられる。13は、定電流回路であり、トランジスタと抵抗で構成される。これらはデジタルカメラに供給される主電源の駆動電圧系に接続され、符号化／復号化回路4の割込み信号を受けたときにのみ、ある所定の電流値が流れる。該電流値はカメラの撮影時に消費される総電流量の1/20程度が望ましい。
【００３２】
14は、比較回路であり、抵抗とコンパレータで構成される。13により電流が流れると、駆動電圧に電圧降下が生じる。電圧降下Voが閾値Vrefを下回ったときに割込み信号が演算処理部へ出力される。これにより、撮影装置の電圧降下を検出することが可能となり、演算処理部は該撮影処理のシャットダウン制御を開始することが可能となる。
【００３３】
図１、図２、図３、図４を用いて、実施例における録画時および再生時の符号化／復号化処理について説明する。まず、図２を用いてデジタルカメラの再生開始処理〜完了までの一連の手順を説明する。
【００３４】
デジタルカメラ20は、ユーザが不図示の再生ボタンを押すことで、動画の再生開始を行う。演算処理部26は、SDカード32から符号化された圧縮データを読出し、符号化／復号化回路37に入力、符号化／復号化回路37が音声データの復号処理を行なう。復号化された音声データは、音声処理回路22に供給、アナログ変換されスピーカ23に出力される。操作者は、前述の再生ボタンをもう一度押すことで、動画の再生処理が完了する。
【００３５】
また、記録時の流れは次のとおりである。まず、デジタルカメラ20にて被写体音を記録する場合、操作者は不図示のシャッタースイッチを用いて動画の撮影開始を行う。音声の録音処理もこれに同期して行われる。マイク21から得られた信号は、音声処理回路22に供給され、デジタル変換される。デジタル変換された信号は、不図示のデジタル音声転送バスを通り、符号化／復号化回路37に入力され、音声データの圧縮が行われる。次に、符号化／復号化回路37により符号化された圧縮データは、演算処理部26へ出力され、演算処理部26がSDカード32に書き込みを行う。操作者は、前述のシャッタースイッチをもう一度押すことで、動画の撮影処理が完了する。
【００３６】
図３は実施例における符号化／復号化処理回路から出力される割込み信号の動作を説明するタイミングチャートである。図３内（Ａ）は、符号化処理の動作を説明したタイミングチャートである。
【００３７】
図３内（Ａ）に示すように、図１内の符号化／復号化回路4にてフレーム単位で符号化処理を行う。その際、（Ａ）に示すようにフレームの最後で処理の完了を示す割り込み信号が符号化／復号化回路4からアサートされる。
【００３８】
図４は実施例における演算処理部へ入力される割込み信号の動作を説明する概念図である。図３内（Ａ）でアサートされた割込み信号が、図１中の定電流回路13をONにし、定電流が流れ、駆動電圧系に電圧降下が起きる。駆動電圧系を分圧し、比較回路14に電圧Voとして入力、閾値電圧Vrefと比較し、Vref以下の場合は、割込み信号が演算処理部1にアサートされる。
【００３９】
図１中演算処理部1の不図示CPUは、本割り込み信号を受け、カメラの停止制御を行う。図３内（Ｂ）は、復号化処理の動作を説明したタイミングチャートである。図３内（Ｂ）に示すように、図１内の符号化／復号化回路4にてフレーム単位で復号化処理を行う。その際、（Ｂ）に示すようにフレームの最初で処理の完了を示す割り込み信号が符号化／復号化回路4からアサートされる。
【００４０】
図４は実施例における演算処理部へ入力される割込み信号の動作を説明する概念図である。図３内（Ｂ）でアサートされた割込み信号が、図１中の定電流回路13をONにし、定電流が流れ、駆動電圧系に電圧降下が起きる。駆動電圧系を分圧し、比較回路14に電圧Voとして入力、閾値電圧Vrefと比較し、Vref以下の場合は、割込み信号が演算処理部1にアサートされる。
【００４１】
図１中演算処理部1の不図示CPUは、本割り込み信号を受け、カメラの停止制御を行う。1フレーム毎に定期的なバッテリの残量検知を行え、残量が不足する場合は、即座に停止制御に移ることで、ユーザは、電池の無くなる最後の1フレームまで録画／再生処理を行うことが可能となる。
【００４２】
以上、本実施例により、フレームの符号化／復号化処理に適応して、電池残量検知を行い、録画処理を実行することで、電池残量が少ない場合でも録画処理を実行することが可能となる。
【符号の説明】
【００４３】
20  デジタルカメラ、21  マイク、22  音声処理回路
【図４】
2016208205.tif 000003
【図１】
2016208205.tif 000004
【図２】
2016208205.tif 000005
【図３】
2016208205.tif 000006